(57)【要約】【課題】岩場のような凹凸表面がある釣り場であっても、靴底が滑ることなく、安定して歩行することが可能な釣用靴を提供する。【解決手段】本発明の釣用靴１は、靴本体の底面に靴底１０を固定している。靴底１０には、周囲に当接面１５ａを具備した高い突起１５と、当接面１５ａを受ける受け面２０ａを具備した低い突起２０が交互に配設されている。そして、高い突起の当接面１５ａと前記低い突起２０の受け面２０ａは、高い突起１５が倒れて当接面１５ａが受け面２０ａに当接した際、高い突起１５の当接方向の動きを規制すると共に、当接方向と異なる方向の動きを規制するように構成されている。【選択図】図６
2011205999.tif 000002
【特許請求の範囲】
【請求項１】
靴本体の底面に靴底を固定した釣用靴において、
前記靴底には、周囲に当接面を具備した高い突起と、前記当接面を受ける受け面を具備した低い突起が交互に配設されており、
前記高い突起の当接面と前記低い突起の受け面は、前記高い突起が倒れて当接面が受け面に当接した際、前記高い突起の当接方向の動きを規制すると共に、当接方向と異なる方向の動きを規制するように構成されていることを特徴とする釣用靴。
【請求項２】
前記高い突起は円柱形状に形成されており、前記低い突起は側面に断面円弧状の受け面を具備した角柱形状に形成されていることを特徴とする請求項１に記載の釣用靴。
【請求項３】
前記高い突起と低い突起は、一方向に亘って交互に配置されると共に、前記一方向と直交する方向に亘って交互に配置されていることを特徴とする請求項１又は２に記載の釣用靴。
【請求項４】
前記高い突起と低い突起の先端面には、凹部が形成されていることを特徴とする請求項１から３のいずれか１項に記載の釣用靴。
【発明の詳細な説明】
【技術分野】
【０００１】
本発明は、主に魚釣りをする際に使用される釣用靴に関し、詳細には、靴底に特徴を有する釣用靴に関する。
【背景技術】
【０００２】
一般的に、渓流釣りや磯釣り等に用いられる釣用靴は、滑り難い靴底構造とすることが重要であり、滑り難い靴底構造として、靴底裏面に高低差のある多数の突起を形成することが知られている（例えば、特許文献１参照）。この特許文献１に開示された靴底構造は、高く形成された突起間に低く形成された突起を配置し、更に、高い突起の硬度を、低い突起の硬度よりも低くなるように構成している。このような突起の配置によれば、滑りが生じた場合、高い突起が倒れ込むことで、硬度の低い突起が地面と接触し、滑り防止効果が得られる。
【先行技術文献】
【特許文献】
【０００３】
【特許文献１】特開平４−２７９１０２号
【発明の概要】
【発明が解決しようとする課題】
【０００４】
上記したような突起の配置では、着地時において最初に地表面と接する高い突起の硬度が低いため、凹凸のある表面の場合、高い突起が凹凸形状に沿って倒れて滑り防止効果がある程度は発揮できるものの、さらに体重移動が生じると、高い突起が倒れた状態になってしまうことから踏ん張りがきかなくなり、体重移動方向に滑りが生じてしまう。特に、岩場のような凹凸のある表面では、歩行時に様々な方向に体重移動が生じ易いため、踏ん張った際の滑り防止効果が十分ではない。
【０００５】
本発明は、上記した問題に着目してなされたものであり、岩場のような凹凸表面がある釣り場であっても、靴底が滑ることなく、安定して歩行することが可能な釣用靴を提供することを目的とする。
【課題を解決するための手段】
【０００６】
上記した目的を達成するために、本発明に係る釣用靴は、靴本体の底面に靴底を固定した構成において、前記靴底には、周囲に当接面を具備した高い突起と、前記当接面を受ける受け面を具備した低い突起が交互に配設されており、前記高い突起の当接面と前記低い突起の受け面は、前記高い突起が倒れて当接面が受け面に当接した際、前記高い突起の当接方向の動きを規制すると共に、当接方向と異なる方向の動きを規制するように構成されていることを特徴とする。
【０００７】
上記した構成の釣用靴によれば、岩場のような凹凸表面がある部分を歩行した際、凹凸表面に応じて高い突起が倒れることでグリップ力が高まり、滑りが防止される。この場合、高い突起は、凹凸表面に応じて倒れるものの、隣接する低い突起の受け面に、その当接面が当接して倒れ込むことが規制されるため、更なる体重移動があっても、高い突起が崩れることはなく、グリップ力を維持することが可能となる。また、低い突起の受け面は、高い突起の当接面が当接した際に、その当接方向に加え、それとは異なる方向に対しても動きを規制するように構成されているため、異なる方向に体重移動があっても、その方向に高い突起が倒れ込んで崩れることが防止され、高いグリップ力を維持することが可能となる。
【発明の効果】
【０００８】
本発明によれば、岩場のような凹凸表面がある釣り場であっても、靴底が滑ることなく、安定して歩行することが可能な釣用靴が得られる。
【図面の簡単な説明】
【０００９】
【図１】本発明に係る釣用靴の一実施形態を示す側面図。
【図２】図１に示す釣用靴の靴底を示す裏面図。
【図３】図２に示す突起部分の拡大図。
【図４】図２に示す突起部分の平面図（突起の配列パターンを示す平面図）。
【図５】図４のＡ−Ａ線に沿った断面図。
【図６】凹凸がある部分を歩行した際の状態を示す図であり、（ａ）は高い突起が倒れた状態を示す平面図、（ｂ）は側面図、（ｃ）は、高い突起の当接面と低い突起の受け面が当接した状態を拡大して示す図。
【図７】高い突起と低い突起の変形例を示す図。
【発明を実施するための形態】
【００１０】
以下、本発明に係る釣用靴の一実施形態について図１から図６を参照して具体的に説明する。  
本実施形態の釣用靴１は、ショートブーツタイプとして構成されており、釣り人の足部を覆う靴本体２と、靴本体２に対して接着、固定される靴底（ソール部）１０とを備えて構成される。この場合、靴本体２と靴底１０の固着方法や具体的な構造については特に限定されるものではなく、靴本体２の内部に中敷（インナーソール）やクッション材などが介在されていても良い。
【００１１】
前記靴本体２は、例えば、ゴム等の素材で一体形成することが可能であり、その裏面（底面）２ａには、例えば、ゴム、ウレタン、ＥＶＡ等の合成樹脂によって一体形成され、所定の肉厚を有する前記靴底１０が接着等によって固定されている。なお、前記靴本体２の形成素材や全体構成については、特に限定されることはなく、例えば、合成樹脂や繊維材などを組み合わせて縫製する等、適宜変形することが可能である。
【００１２】
前記靴底１０の底面１０ａには、下方に向けて突出する複数の突起（突起群Ｒ）が設けられている。この場合、突起群Ｒは、高さが高い突起１５と、高さが低い突起２０を備えており、靴底の底面の所定領域に設けられている。本実施形態では、靴底の略中央領域Ａ１、中央領域Ａ１よりもつま先側における親指側（母指球領域Ａ２）と小指側（小指球領域Ａ３）、そして、中央領域から踵側に向かう後方領域Ａ４、及び踵の位置に対応する踵領域Ａ５に、前記突起群Ｒが形成されている。
【００１３】
本実施形態では、上記の突起群Ｒが形成されていない領域は、各突起１５，２０を形成している素材よりも硬度が高い素材で形成されており、硬質部１７を構成している（硬質部は黒点を付した領域となる）。このような硬質部１７を設けることで、靴底１０に強度を持たせることができ、また、それよりも軟質の部材によって形成される突起群Ｒが大きく崩れることを防止でき、滑り防止の効果を高めることが可能となる。なお、突起群Ｒについては、例えば、合成ゴム（ＮＢＲ，ＳＢＲ，ＩＲ）、合成樹脂（ＥＶＡ，ウレタン）等によって形成することが可能であり、硬質部１７については、それよりも硬度が高い材料、例えば、合成ゴム（ＮＢＲ，ＳＢＲ，ＩＲ）、合成樹脂（ＥＶＡ，ウレタン）、エラストマー等によって形成することが可能である（同材料であれば、硬度が高いものが用いられる）。また、硬質部１７の表面に様々な形状の凹凸部１７ａを形成することで、滑り止め効果を向上することができる。
【００１４】
次に、突起群Ｒの構成について説明する。  
上記したように、靴底の所定領域に設けられる突起群Ｒは、高い突起１５と低い突起２０を備えて構成されている。高い突起１５と低い突起２０は交互に配設されており、両突起の距離は、高い突起１５が倒れた際、その表面（当接面１５ａ）が低い突起２０の表面（受け面２０ａ）に当接できる程度に設定されている。
【００１５】
本実施形態では、高い突起１５は、円柱形状に形成されており、その円周壁が当接面１５ａとして構成されている。また、高い突起１５が倒れた際に当接面１５ａを受ける低い突起２０は、角柱形状に形成されており、その４方向の外壁は、断面円弧状に形成されて受け面２０ａを構成している。このため、図６に示されるように、高い突起１５が倒れた際、受け面２０ａは、矢印Ｄ１方向（当接方向）の動きを規制すると共に、当接方向Ｄ１とは異なる方向（本実施形態では、受け面２０ａが円弧形状となっているため、それとは直交するＤ２方向に至るまでの方向）の動きを規制するように構成されている。
【００１６】
上記した構成の靴底構造により、岩場のような凹凸表面がある部分を歩行した際、凹凸表面に応じて高い突起１５が倒れ、これにより凹凸表面に追従してグリップ力が高まり、滑りが防止されて安定した歩行が可能となる。この場合、高い突起１５は、図６（ａ）（ｂ）に示すように、凹凸表面に応じて倒れるものの、隣接する低い突起２０の受け面２０ａに、その当接面１５ａが当接して倒れ込むことが規制されるため、更なる体重移動があっても、高い突起１５が崩れることはなく、グリップ力を維持することが可能となる。また、低い突起２０の受け面２０ａは、上記したような円弧形状により、高い突起１５の当接面１５ａが当接した際に、その当接方向Ｄ１に加え、それとは異なる方向Ｄ２に対しても動きを規制することが可能であるため、異なる方向に体重移動があっても、その方向に高い突起１５が倒れ込んで崩れることが防止され、高いグリップ力を維持することが可能となる。
【００１７】
この場合、受け面２０ａは、円弧形状に形成されているため、当接する方向Ｄ１から、それと直交する方向Ｄ２の範囲で、高い突起１５の移動を規制することができる。なお、高い突起１５がＤ２方向に大きな力を受ければ、今度はＤ２方向に存在する低い突起２０の受け面２０ａによってその倒れ込みを規制することが可能となる。
【００１８】
また、本実施形態では、前記高い突起１５が円柱形状に形成されており、これが低い突起２０の円弧状の受け面２０ａに当接するようにしていることから、凹凸表面に応じて高い突起が様々な方向に倒れ易くなり、グリップ力を高めることができる。また、そのように様々な方向に倒れても、交互に隣接配置されている低い突起２０の円弧状の受け面２０ａで受けることが可能であるため、高い突起２０が倒れ込んで崩れることが防止され、グリップ力を維持することが可能となる。
【００１９】
さらに、本実施形態では、図４に示すように、高い突起１５と低い突起２０を、一方向に亘って交互に配置すると共に、その方向と直交する方向に亘って交互に配置したことにより、高い突起１５がどの方向に倒れ込んでも、確実に低い突起２０の円弧状の受け面２０ａによってその倒れ込みを規制することが可能となり、滑り止め効果の向上が図れるようになる。
【００２０】
上記した構成の高い突起１５と低い突起２０には、その先端面に、それぞれ凹部１５ｃ，２０ｃを形成しておくことが好ましい。接地部分となる先端面に、このような凹部を形成することで、水分を効果的に排除することができ、地表面に水分が存在しても、滑り難くすることが可能となる。なお、このような凹部以外にも、溝を形成したものであっても良い。
【００２１】
また、高い突起１５と低い突起２０によって構成される突起群Ｒは、靴底の裏面の全面に亘って形成しても良いが、図２に示すように、靴底１０の周縁部分、及びつま先側の中心線領域（靴底の中心線を符号Ｃで示してある）については、硬質部１７を配置しておくことが好ましい。これにより、負荷が加わり易いつま先側の領域の強度の向上が図れると共に、体重移動した際の周縁方向に向かう力を、効果的に受け止めて滑り止め効果を向上させることが可能となる。この場合、硬質部１７と突起群Ｒを有する靴底１０は、例えば、二色成形（ダブルモールド）によって一体成形することが可能である。すなわち、一次成形で硬質部１７を形成し、引き続き、高い突起１５と低い突起２０を有する突起群Ｒを二次成形することにより形成することが可能である。
【００２２】
また、上記した突起群Ｒには、必要に応じて、スパイクピン２５を設置しておくことが好ましい。このようなスパイクピン２５は、突起群Ｒを形成する際に、所定の位置に固定して一体的に形成することが可能である。なお、スパイクピン２５は、硬質部の領域に形成しても良く、これにより、歩行した際にスパイクピンが地面等に食い込み易くなり、滑り止め効果をより高めることが可能となる。
【００２３】
以上、本発明の実施形態について説明したが、本発明は上記した実施形態に限定されることはなく、種々変形することが可能である。  
上記した実施形態では、釣用靴として、ショートブーツタイプを例示したが、ロングブーツタイプや短靴タイプ（運動靴タイプ）に適用しても良い。すなわち、靴本体１や靴底１０の形状、素材については、適宜変形することが可能である。例えば、靴底１０については、部分的にフェルトを止着した構成であっても良い。また、前記突起群Ｒの配置位置や、各突起１５，２０の配置位置、その高さや固定態様についても適宜変形することが可能である。この場合、突起群Ｒについては、靴底に対して止着する構造であっても良い。
【００２４】
また、上記した構成の靴底１０では、高い突起１５を円柱形状とし、低い突起２０を角柱形状としたが、逆のパターンであっても良い。また、当接面と受け面を規定するための突起形状については、上記したように、当接方向を規制すると共に、その当接方向とは異なる方向の動きが規制できれば種々変更することが可能である。例えば、図７に示すように、高い突起３５を多角柱形状（六角柱形状）としても良く、その外面となる当接面３５ａに応じて受け面を具備した低い突起４０を形成しても良い。この場合、低い突起については、図７に示すように、角柱形状で四隅に突出する部分を形成して、受け面４０ａを直線状の面の組み合わせで構成したものであっても良い。
【符号の説明】
【００２５】
１  釣用靴
２  靴本体
１０  靴底
１７  硬質部
１５，３５  高い突起
１５ａ，３５ａ  当接面
２０，４０  低い突起
２０ａ，４０ａ  受け面
Ｒ  突起群
【図１】
2011205999.tif 000003
【図２】
2011205999.tif 000004
【図３】
2011205999.tif 000005
【図４】
2011205999.tif 000006
【図５】
2011205999.tif 000007
【図６】
2011205999.tif 000008
【図７】
2011205999.tif 000009